(57)【要約】【課題】ビス等を目算する手間を省き、必要な数のビス等を正確に取り出すことができ、ビス等も散逸しないようにした整列具を提供することである。【解決手段】中空ボックス体１の上面板２に、多数の直線状貫通スリット１２を設け、各々のスリット１２の外端に多数の円筒状座ぐり１３を設け、ビス等の軸が前記スリット１２に嵌り込み、ビス等のヘッドが前記座ぐりに嵌り込むようにしたのである。【選択図】　図１
2004034242.tif 000002
【特許請求の範囲】
【請求項１】
中空ボックス体の上面板に、この上面板を貫通する直線状スリット列を設け、各々のスリットの外端に、多数の座ぐりを設け、ビス等の軸が前記スリットに嵌り込み、ビス等のヘッドが前記座ぐりに嵌り込むようにしたビス等の整列具。
【請求項２】
前記座ぐりを円筒形、または円錐形とし、隣接する座ぐりの円筒形、または円錐形とほぼ接するようにした請求項１に記載のビス等の整列具。
【請求項３】
前記上面板をほぼ四角形とし、この上面板の三方側縁に固定枠を設け、対向する固定枠間にスライド枠を取付け、前記固定枠とスライド枠によってトレー状凹所を形成し、この凹所の区画域を可変にした請求項１または２に記載のビス等の整列具。
【請求項４】
前記対向する固定枠に目盛りを設けた請求項３に記載のビス等の整列具。
【発明の詳細な説明】
【０００１】
【発明の技術分野】
この発明は、機器の組立てなどに用いるビス等の整列具に関する。
【０００２】
【従来の技術】
様々な機器を手で組立てる際に、多数の同サイズのビスを必要とする場合がある。これらのビスを所定の位置に全て取付けないと欠陥製品が出来上る。
【０００３】
このような欠陥製品の発生を防止するため、従来、例えば一台の機器組立てに３０本のビスを必要とすれば、ビスのバッチから３０本のビスを目算で数えながら取り出し、これを使用して機器が完成した際に、ビスを使い切ったかどうかによって良否の判定を行なっていたが、ビスの目算に手間がかかり、またビスが散逸する場合もあって、正確性を欠く問題が生じていた。
【０００４】
【発明の課題】
そこで、この発明の課題は、ビスを目算する手間を省き、正確に必要な数のビスを取り出すことができ、ビスのヘッドが常に上部を向き、取出しが容易でビスも散逸しないようにした整列具を提供することである。
【０００５】
【課題の解決手段】
上記の課題を解決するため、この発明においては、中空ボックス体の上面板に、この上面板を貫通する直線状スリット列を設け、各々のスリットの外端に、多数の座ぐりを設け、ビス等の軸が前記スリットに嵌り込み、ビス等のヘッドが前記座ぐりに嵌り込むようにしたのである。
【０００６】
前記座ぐりを円筒形、または円錐形とし、隣接する座ぐりの円筒形、または円錐形とほぼ接するようにしておくのが好ましい。また、前記上面板をほぼ四角形とし、この上面板の三方側縁に固定枠を設け、対向する固定枠間にスライド枠を取付け、前記固定枠とスライド枠によってトレー状凹所を形成し、この凹所の区画域を可変にしておくことができる。前記対向する固定枠のいずれかに目盛りを設けておくのが好ましい。
【０００７】
【実施の形態】
以下、この発明の実施形態を添付図面に基づいて説明する。図１乃至図３に示すように、この発明のビス整列具は、上面板２と底板３と側板４より成る４角形状中空ボックス体１より成り、前記上面板２の三方の側縁は適当な高さを有する固定枠２ａ、２ｂ、２ｃで囲まれ、対向する固定枠２ａ、２ｂにスライド枠２ｄが挿し込まれて、トレー状凹所を形成している。
【０００８】
前記上面板２には、上面板２を貫通する直線状スリット１２が多数設けられ、このスリット１２の両側には、図３乃至図５に示すように、円筒状座ぐり１３が形成されている。この座ぐり１３はスリット１２を挟んで対向し、両側の座ぐり１３の周面で一つの円筒を形成するように設けられている。そしてこの座ぐり１３を形成する円筒は、隣接する座ぐり１３の円筒とほぼ接するようにしておくのが好ましい。
【０００９】
前記スリット１２の巾は、ビスの軸がゆるく嵌り込むように軸よりも約０．１〜０．３ｍｍ程度大きくし、座ぐり１３の径は、ビスのヘッドまたはワッシャ或はばね座金がゆるく嵌り込むようにそれらの径よりも約０．２〜０．４ｍｍ程度大きく形成しておく。また座ぐり１３の深さは、ビスを容易に取り出すことが出来る程度にしておく。勿論座ぐり１３は上面板２を貫通してはならない。
【００１０】
前記スライド枠２ｄは、固定枠２ａ、２ｂに沿って移動させると、固定枠２ａ、２ｂ、２ｃ及びスライド枠２ｄによって区画されるトレー状凹所の広さを限定することができる。そして、固定枠２ｂには適当な目盛り１４が設けられ、ビスの整列個数を設定できるようになっている。また、スライド枠２ｄと固定枠２ａ、２ｂとの係合部には、適当な摺動抵抗が与えられ、ビス整列具の取り扱い中は、スライド枠２ｄが所定位置で停止して移動しないようにしてある。なお、適当な係止手段、例えばフックなどをスライド枠２ｄに取付けておき、スライド枠２ｄと固定枠２ｂを係止できるようにしてもよい。
【００１１】
いま、スライド枠２ｄを所定の位置に設定し、目分量で適当な量のビスを前記上面板２のトレー状凹所内に載せ、ビス整列具をスリット１２の方向にほぼ水平に揺り動かすと、この振動によって、図６に示すように、ビスＢの軸Ｂ１　がスリット１２に嵌り込み、さらにビスＢのヘッドＢ２　が座ぐり１３に嵌り込む。全ての座ぐり１３がビスＢによって埋めつくされると、余分のビスＢは上面板２の上でころがっている状態になるため、これを取り除くと、正確な数のビスＢのみが座ぐり１３に嵌り込んだ状態で残る。
【００１２】
なお、固定枠２ａ、２ｂ、２ｃおよびスライド枠２ｄの高さは、整列具を揺り動かせているときに、ビスＢが枠から散逸しないような高さにしておくのが好ましい。
【００１３】
上記の使用例では、ビスＢにばね座金Ｗ１　及びワッシャＷ２　を嵌め合せた例を示したが、いずれか一方のみを嵌め合せたビスやいずれも嵌め合せていないビスのほか、木ねじ、釘、鋲などの軸の一端にヘッドを設けた部材の整列にも使用できる。その場合には、座ぐり１３の形状をヘッド下面の形状に対応させておくのが好ましい。
【００１４】
【発明の効果】
この発明によれば、以上のように、中空ボックス体の上面板にビスの軸が嵌り込む直線状貫通スリット列を設け、このスリット列のそれぞれのスリットの上端にビスのヘッドが嵌り込む座ぐりを多数設けたので、多数のビスを上面板に載せて揺り動かすだけでビスがスリットおよび座ぐりに嵌り込み、余分なビスを取り除くことによって正確な数のビスが残存し、これを機器の組立てなどに使用することによって、組立ての手違いを無くすことができる。
【００１５】
また、整列具をビスの容器兼用として使用することができ、ビスの散逸を防止できるので便利である。
【図面の簡単な説明】
【図１】この発明のビス整列具の一例を示す斜視図
【図２】同上の拡大平面図
【図３】ビス整列具の横断面図
【図４】ビス整列具のスリットと座ぐりを示す部分拡大斜視図
【図５】ビス整列具の部分拡大縦断面図
【図６】ビスを整列した状態を示す部分拡大縦断面図
【符号の説明】
１　中空ボックス体
２　上面板
２ａ、２ｂ、２ｃ　固定枠
２ｄ　スライド枠
３　底板
４　側板
１２　スリット
１３　座ぐり
Ｂ　ビス
Ｂ１　　軸
Ｂ２　　ヘッド
Ｗ１　　ばね座金
Ｗ２　　ワッシャ
【図１】
2004034242.tif 000003
【図２】
2004034242.tif 000004
【図３】
2004034242.tif 000005
【図４】
2004034242.tif 000006
【図５】
2004034242.tif 000007
【図６】
2004034242.tif 000008